(57)【要約】【課題】ハム雑音の発生を回避できるようにしたコンデンサマイクロホンの提供。【解決手段】マイクロホンユニット３２とフィルタや出力回路を含む必要部材を搭載した回路基板６２とが導通を確保して一体化されたうえで保護ケース２２内に収納されてなるコンデンサマイクロホン１１において、ユニットケース４３は、はんだ付け可能な金属材で形成され、回路基板６２には、ユニットケース４３のかしめ部４７と対面する位置にグランドパターン６３が設けられ、かしめ部４７を回路基板６２側のグランドパターン６３に対しはんだ付けする。これにより、コンデンサマイクロホン１１は、かしめ部４７のかしめ力が緩和しても、かしめ部４７と回路基板６２側のグランドパターン６３とを導通接続させて形成したグランド側導電路が強固な導通を確保できるので、ハム雑音の発生を回避させることができる。【選択図】図２
2008187416.tif 000002
【特許請求の範囲】
【請求項１】
有底円筒状を呈するユニットケースと該ユニットケースの開口面側に形成されたかしめ部を介してかしめ封口されたユニット基板を含む複数の部品で構成される内蔵部材とからなるマイクロホンユニットと、フィルタや出力回路などを含む必要部材を搭載し前記ユニット基板の面方向に直交させた位置関係で配置された回路基板とを少なくとも備え、前記マイクロホンユニットと前記回路基板とは、前記ユニット基板を介して相互にはんだ付けすることでグランド側導電路を少なくとも確保して保護ケース内に一体的に収納されてなるコンデンサマイクロホンにおいて、
前記ユニットケースは、はんだ付け可能な金属材で形成され、前記回路基板は、前記ユニットケースのかしめ部の外径と略同等な横幅が付与され、かつ、その収納時に前記かしめ部と対面する位置にグランドパターンを備えて形成され、前記ユニットケースと前記回路基板とは、前記かしめ部と前記グランドパターンとをはんだ付けして相互を強固に導通接続させたことを特徴とするコンデンサマイクロホン。
【請求項２】
前記保護ケースの基端部側には、フレキシブルパイプを一体的に連結させた請求項１に記載のコンデンサマイクロホン。
【発明の詳細な説明】
【技術分野】
【０００１】
本発明は、フィルタや出力回路を含む必要部材を搭載した回路基板側にマイクロホンユニット側をはんだ付けして一体的に導通接続した上で、その全体を保護ケース内に収納してなるコンデンサマイクロホンに関する技術である。
【背景技術】
【０００２】
コンデンサマイクロホンの一つには、会議用などに多用されているグースネック型マイクロホンがある。該グースネック型マイクロホンは、下記特許文献１の図３にも開示されているように、通常、マイクロホンユニットを収納した保護ケースと、フィルタや出力回路を搭載した回路基板とを分離させた状態で配置され、マイクコードを介して相互間が電気的に接続されている。
【特許文献１】特開２００５−３２３２２２号公報
【０００３】
また、通常、上記コンデンサマイクロホンは、回路基板を収納するシールドケース内にマイクコードの一部が入り込んでいるため、至近距離で携帯電話が使用されるなどしてマイクコードに強い電磁波が加わると、該電磁波に起因する雑音が発生するといわれている。
【０００４】
このため、コンデンサマイクロホンのなかには、マイクコードを介して侵入する電磁波に起因する雑音の発生を回避する一手法として、例えば下記非特許文献１に示されているようにフィルタや出力回路を含む必要部材を搭載した回路基板側にマイクロホンユニット側をはんだ付けして一体的に導通接続した上で、その全体を保護ケース内に収納してなるコンデンサマイクロホンも既に提案されている。
【非特許文献１】株式会社オーディオテクニカ製品カタログ（２００３年発行「Ｆｏｒ  Ｓｏｕｎｄ  Ｃｏｎｔｒａｃｔｏｒ」第１６頁参照）
【０００５】
図３は、上記非特許文献１を含む従来からあるコンデンサマイクロホンの全体構成例つき、その断面構造を含めて示す説明図である。また、図４は、図３におけるコンデンサマイクロホン部分の拡大図である。
【０００６】
これらの図に示されているように、コンデンサマイクロホン１は、保護ケース２と、該保護ケース２内に導通接続を確保して一体的に収納されたマイクロホンユニット３と回路基板６とを少なくとも備えている。
【０００７】
この場合、コンデンサマイクロホン１は、保護ケース２の基端部側にフレキシブルパイプ７が一体的に連結されており、グースネック型マイクロホンとしてその全体が構成されている。
【０００８】
また、図４からも明らかなように、コンデンサマイクロホン１は、内底面４ａ側を先端側に位置させた有底円筒状のアルミニウムでなるユニットケース４と、該ユニットケース４の開口側をかしめ封口するユニット基板５ｂを介してユニットケース４内の所定の位置に配置された複数の部品で構成される内蔵部材５とで形成されている。この場合、内蔵部材５を構成して内底面４ａ側に収容された振動板リング５ａとユニット基板５ｂとの間の必要な導通は、ユニットケース４の開口側に形成されたかしめ部４ｂがユニット基板５ｂの周縁側に設けられた図示しない導電パターンに接触することで確保されている。
【０００９】
一方、フィルタや出力回路を含む必要部材が搭載される回路基板６は、ユニット基板５ｂの面方向と直交する位置関係で配置され、ユニットケース４の内径と略同等の横幅が付与されて形成されている。
【００１０】
また、回路基板６側の所定の導電パターンには、ユニット基板５ｂの略中央部位から対となって突出するＦＥＴ（インピーダンス変換器）５ｃの出力端子５ｄが各別にはんだ付けされている。なお、図示例では、一方の出力端子５ｄのみ示されているが、裏面側に他方の出力端子５ｄが同様にはんだ付けされている。これにより、回路基板６側は、マイクロホンユニット３側との間の必要な導通を確保している。
【００１１】
一方、保護ケース２は、回路基板６を収納するケース本体部２ａと、マイクロホンユニット３を収納しケース本体部２ａの先端部側に着脱自在に施蓋される収音用の開口を有するキャップ部２ｂと、フレキシブルパイプ７を保持してケース本体部２ａの基端側に連結された口金２ｃとで構成されている。
【００１２】
このように、コンデンサマイクロホン１は、マイクロホンユニット３と回路基板６とが相互間の必要な導通を確保して一体化されたうえで保護ケース内２に収納されることで形成されている。
【００１３】
ところで、図示例のコンデンサマイクロホン１は、ユニットケース４がかしめ部４ｂを介してユニット基板５ｂの図示しないグランドパターンに導通し、該ユニット基板５ｂが回路基板６側の図示しないグランドパターンに導通することでグランド側導電路が確保されている。
【００１４】
これにより、コンデンサマイクロホン１は、至近距離で携帯電話が用いられるなどして発生する電磁波に対するシールド効果が得られ、電磁波の侵入に起因するハム雑音の発生を回避させることができるようになっている。
【発明の開示】
【発明が解決しようとする課題】
【００１５】
しかしながら、図示例のコンデンサマイクロホン１では、マイクロホンユニット３と回路基板６とが一体化されたうえで、該回路基板６の横幅と略同等の内径が付与されたケース本体部２ａ内へと収納されることとなる。このため、回路基板６は、その長さ方向に沿う端縁側をケース本体部２ａの内周面に摺接させながら半ば強制的に収納されることとなる。
【００１６】
このため、薄板状を呈する回路基板６は、その収納時にマイクロホンユニット２側がある程度ねじ込まれることで、面方向と直交方向に揺動させられなが押し込まれることになる。その結果、回路基板６側とはんだ付けされているユニット基板５ｂは、回路基板６側が揺動する際に生成される応力をそのはんだ付け部位Ｓに集中的に受けることなる。
【００１７】
とりわけ、ユニット基板５ｂは、その略中央部位で回路基板６に対しはんだ付けされているため、はんだ付け部位Ｓを支点とした梃子作用が働き、かしめ部４ｂが緩む方向への押圧力を受けることになる。その結果、ユニット基板５ｂは、その面方向が水平位置から傾き、かしめ部４ｂと図示しないユニット基板５ｂ側のグランドパターンとの導通接触が不確実となってしまうこととなる。
【００１８】
一方、いったん発生したこのようなかしめ力の緩みは、ユニット基板５ｂ側にかかる応力が解除されても元に戻るすることがない。このため、マイクロホンユニット３と回路基板６とは、相互間に不十分なグランド側導電路しか形成されない状態のもとで保護ケース内２に収納されてしまうことになる。その結果、コンデンサマイクロホン１は、十分なグランドがとれない状態のもとでハム雑音を発生させてしまう不具合を発生させがちであった。
【００１９】
しかも、図３に示すように、保護ケース２の基端部側にフレキシブルパイプ７が連結される場合には、コンデンサマイクロホン１側の位置移動に伴うフレキシブルパイプ７側の屈曲により、上記と同様にかしめ力が緩むことで、コンデンサマイクロホン１に上記と同様のハム雑音を発生させてしまうという不具合もあった。
【００２０】
本発明は、従来技術の上記課題に鑑み、保護ケース内にユニットケースのかしめ部のかしめ力が緩んだ状態で収納されても、マイクロホンユニット側と回路基板側との間に安定したグランド側導電路を確保してハム雑音の発生を回避できるようにしたコンデンサマイクロホンを提供することを目的としている。
【課題を解決するための手段】
【００２１】
本発明は、上記目的を達成すべくなされたものであり、有底円筒状を呈するユニットケースと該ユニットケースの開口面側に形成されたかしめ部を介してかしめ封口されたユニット基板を含む複数の内蔵部材とからなるマイクロホンユニットと、フィルタや出力回路などを含む必要部材を搭載し前記ユニット基板の面方向に直交させた位置関係で配置された回路基板とを少なくとも備え、前記マイクロホンユニットと前記回路基板とは、前記ユニット基板を介して相互にはんだ付けすることでグランド側導電路を少なくとも確保して保護ケース内に一体的に収納されてなるコンデンサマイクロホンにおいて、前記ユニットケースは、はんだ付け可能な金属材で形成され、前記回路基板は、前記ユニットケースのかしめ部の外径と略同等な横幅が付与され、かつ、その収納時に前記かしめ部と対面する位置にグランドパターンが設けられて形成され、前記ユニットケースと前記回路基板とは、前記かしめ部と前記グランドパターンとのはんだ付けを介して強固に導通接続されたことを最も主要な特徴としている。
【００２２】
この場合、前記保護ケースの基端部側には、フレキシブルパイプを一体的に連結させるのが望ましい。
【発明の効果】
【００２３】
請求項１の発明によれば、コンデンサマイクロホンは、マイクロホンユニットのユニットケースがはんだ付けが可能な金属材で形成され、回路基板に保護ケース内への収納時にかしめ部と対面する位置にグランドパターンが設けられているので、ユニットケース側のかしめ部と回路基板側のグランドパターンとをはんだ付けして、グランド側導電路を安定的に確保することができる。これにより、コンデンサマイクロホンは、かしめ部のかしめ力が緩んでも、かしめ部と回路基板側のグランドパターンとを直接的に導通接続させて形成したグランド側導電路が確保されているので、電磁波に由来するハム雑音の発生を回避させることができる。
【００２４】
しかも請求項２の発明によれば、コンデンサマイクロホンは、保護ケースの基端部側にフレキシブルパイプが連結され、コンデンサマイクロホンを位置移動させるためにフレキシブルパイプが繰り返し屈曲されるグースネック型マイクロホンとしてその全体が構成されても、グランド側導電路を確保させることができるので、長期的かつ安定的に好適な使用に供することができる。
【発明を実施するための最良の形態】
【００２５】
図１は、本発明の一例につきその断面構造を示す説明図であり、図２は、図１に示す例の要部を示す拡大図である。これらの図によれば、コンデンサマイクロホン１１は、有底円筒状のユニットケース４３と、該ユニットケース４３の開口面４５側に形成されたかしめ部４７によりかしめ止着されたユニット基板５８を含む複数の部品で構成される内蔵部材５３とでなるマイクロホンユニット３２と、フィルタや出力回路を含む必要部材を搭載した回路基板６２とが一体的に導通接続した状態で保護ケース２２内に収納されて形成されている。
【００２６】
このうち、保護ケース２２は、回路基板６２とマイクロホンユニット３２とが収容されるケース本体部２３と、収音開口部２５を備えてケース本体部２３の先端部側に着脱自在に施蓋されるキャップ部２４と、ケース本体部２３の基端部側に配設されてレキシブルパイプ７２と連結される口金２６とで構成されている。
【００２７】
一方、回路基板６２は、ユニット基板５８の面方向に直交させた位置関係で配置されるとともに、ユニットケース４３のかしめ部４７の外径と略同等の横幅が付与されて形成されている。
【００２８】
すなわち、回路基板６２は、横幅方向の長さに較べて縦幅方向が長寸化された薄板状の長四辺形を呈しており、その横幅方向をユニット基板５８の直径方向に沿わせた位置関係で配置されている。
【００２９】
この場合、回路基板６２側の必要な部材には、接地用のグランドパターン６３が含まれている。該グランドパターン６３は、マイクロホンユニット３２と回路基板６３とが上記位置関係のもとで保護ケース２２内に収納された際、マイクロホンユニット３２側のかしめ部４７に対面する回路基板６２側の位置に設けられている。
【００３０】
マイクロホンユニット３２と回路基板６２との位置関係を図２に基づいてより詳しく説明すれば、マイクロホンユニット３２は、内底面４４側を収音開口部２５側に向けたユニットケース４３と、該ユニットケース４３の開口面４５側の開放端縁を内側にカールするように折り曲げて形成されたかしめ部４７を介してユニットケース４３内の所定の位置に内蔵部材５３を構成する個々の部品を固定させている。
【００３１】
この場合、内蔵部材５３を構成する部品には、振動板５４ａが張設されて内底面４４側に配置された振動板リング５４と、振動板５４ａに対設された固定極５５と、該固定極５５を支持する絶縁座５６と、該絶縁座５６に設けられた空間内に収容されて固定極５５側と導通するＦＥＴ（インピーダンス変換器）５７と、該ＦＥＴ５７を実装して開口面４５を封口するユニット基板５８とが少なくとも含まれている。
【００３２】
また、ユニットケース４３は、開放端縁側にかしめ部４７を形成させた際に、ユニット基板５８をその面方向での水平位置を保持させるべく、開口面４５側に大径部４６を備えている。すなわち、ユニットケース４３には、大径部４６とその長さ方向での隣接部位との境に両者の径寸法差に由来する段差部４６ａが形成されており、該段差部４６ａとかしめ部４７とを介して保持させたユニット基板５８の対向周縁部を大径部４６に下支えさせて、該ユニット基板５８を位置固定させている。
【００３３】
また、ユニットケース４３は、油脂類の脱脂に用いられる塩素系有機溶剤や酸化膜の除去に用いられる酸性液に対する耐性にすぐれ、かつ、はんだのぬれ性が良好であり母材として好適に用いることができる、例えば、Ｃ７５２１のような導電性金属が用いられて形成されている。
【００３４】
一方、ユニット基板５８から回路基板６２側へ対となって突出するＦＥＴ５７の出力端子５７ａは、回路基板６２側の所定の導電パターンに対しはんだ付けされている。なお、図示例では出力端子５７ａは、表出する一方のみ示されており、もう一方が回路基板６２の裏面側で所定の導電パターンに対しはんだ付けされている。
【００３５】
さらに、ユニットケース４３のかしめ部４７は、回路基板６２における横幅方向での両方の端部側にかしめ部４７と対面する位置関係のもとで設けられたグランドパターン６３に対しはんだ付けされている。
【００３６】
これにより、回路基板６２は、その横幅方向に沿った略中央部位の出力端子５７ａを介したユニット基板５８とのはんだ付け部位Ｓ１と、両端側のかしめ部４７との各別のはんだ付け部位Ｓ２、Ｓ２を介して、マイクロホンユニット３２側と一体的に導通接続している。
【００３７】
マイクロホンユニット３２と回路基板６２とは、これらはんだ付け部位Ｓを介して、マイクロホンユニット３２の側の固定極５５からＦＥＴ５７を経て回路基板６２側の出力回路へと至る音声信号用の導電路と、ユニットケース４３側から回路基板６２側のグランドパターン６３へと至る接地用のグランド側導電路とが少なくとも確保されたうえで、保護ケース内２２に収納されてコンデンサマイクロホン１１を形成している。
【００３８】
しかも、マイクロホンユニット３２と回路基板６２との間のグランド側導電路は、ユニットケース４３のかしめ部４７がユニット基板５８の図示しないグランドパターンに導通し、ユニット基板５８を介して回路基板６２側のグランドパターン６３へと導通するものと、かしめ部４７を介してユニットケース４３が回路基板６２側のグランドパターン６３に直に導通するものとの２経路が確保されている。
【００３９】
次に、図１および図２とを参酌して本発明の作用・効果を説明すれば、マイクロホンユニット３２は、ユニット基板５８の面方向に対し直交させた位置関係で配置された回路基板６２に対し、ユニット基板５８から回路基板６２側に向け突出させたＦＥＴ５７の出力端子５７ａを介してユニット基板５８をはんだ付けし、さらに、かしめ部４７を介してユニットケース４３をはんだ付けすることで一体化することができる。
【００４０】
このような位置関係のもとで、回路基板６２側には、ユニット基板５８の面方向に沿って、略中央部位の出力端子５７ａを介したユニット基板５８とのはんだ付け部位Ｓ１と、両端部のかしめ部４７を介したユニットケース４３との３５との各別のはんだ付け部位Ｓ２、Ｓ２が形成されることとなる。
【００４１】
一方、マイクロホンユニット３２と回路基板５２とは、出力端子５７ａ側のはんだ付け部位Ｓ１を介してマイクロホンユニット３２側の固定極５５からＦＥＴ５７を経て回路基板６２側の出力回路へと至る音声信号用の図示しない導電路が、かしめ部４７側のはんだ付け部位Ｓ２を介してユニットケース４３側から回路基板５２側へと至る図示しないグランド側導電路とを少なくとも確保した状態のもと一体化されることとなる。
【００４２】
次いで、一体化させたマイクロホンユニット３２と回路基板６２とは、該回路基板６２の横幅寸法と略同等の内径寸法が付与されたケース本体部２３へ収納されることとなる。すなわち、回路基板６２は、その長さ方向に沿わせた長辺側の端縁をケース本体部２３の内周面に対し摺接させながら送り込まれることになるため、ある程度強制的な押し込みによりケース本体部２３内に収納されることとなる。
【００４３】
そして、マイクロホンユニット３２と回路基板６２とを収納させたケース本体部２３には、キャップ部２４が施蓋されて保護ケース２２に組み立てられ、コンデンサマイクロホン１１が形成されることとなる。
【００４４】
この場合、薄板状を呈する回路基板６２は、その収納時の強制的な押し込みにより、面方向との直交方向に揺動することとなり、その揺動圧力を略中央部位のはんだ付け部位Ｓ１を介してユニット基板５８側で支持することとなる。このためユニット基板５８は、はんだ付け部位Ｓ１を支点とした梃子として作用してかしめ部４７に対し応力を集中させて、かしめ部４７のかしめ力を緩くするという現象を発生させがちになる。
【００４５】
このような現象が仮に生じた際には、ユニット基板５８は、面方向が傾いてしまうことで、かしめ部４７がユニット基板５８の図示しないグランドパターンに対する導通接触を不確実なものとさせてしまうこととなる。
【００４６】
この場合、ユニットケース４３には、図２に示す好ましい実施例による場合、開口面４５側に大径部４６が形成されているので、該大径部４６を介してユニット基板５８が面方向での水平位置を保持して位置固定されており、ユニット基板５８側に応力が負荷された際のはんだ付け部位Ｓ１を支点としたユニット基板５８の梃子としての作用を抑止させることができるようになっている。
【００４７】
すなわち、大径部４６とその長さ方向での隣接部位との境には、それら両者の径寸法差から段差部４６ａが生成されており、該段差部４６ａがユニット基板５８のはんだ付け部位Ｓ１を支点としたシーソー状の動きを抑止させ、梃子として作用するのを妨げることとなる。しかし、大径部４６のような構造を備えないユニットケース４３は、ユニット基板５８が梃子としてかしめ部４７に作用して応力を集中させる結果、かしめ力が緩められてしまうこととなる。
【００４８】
本発明では、回路基板６２側が、プリント基板５８とのはんだ付けに加え、かしめ部４７ともはんだ付けされることで、マイクロホンユニット３２側と導通接続して一体化されている。とりわけ、かしめ部４７は、はんだ付け部位Ｓ２を介して回路基板６２側のグランドパターン６３と直接的に導通接続することとなる。
【００４９】
これにより、マイクロホンユニット３２側と回路基板６２側との間のかしめ部４７を介したグランド側導電路は、ユニット基板５８側の図示しないグランドパターンを経て回路基板６２側のグランドパターン６３へと至るものと、回路基板６２側のグランドパターン６３へ直接的に至るものとの２経路が確保されることとなる。
【００５０】
このうち、後者の経路であるグランド側導電路は、かしめ部４７と回路基板６２側のグランドパターン６３とをはんだ付けすることで形成されているので、はんだ付け部位Ｓ２が介在することでかしめ部４７とグランドパターン６３とが面接触して強固に導通することより確実に確保できることとなる。
【００５１】
このことから、マイクロホンユニット３２と回路基板６２との間には、かしめ力の緩みが生じることで、かしめ部４７からユニット基板５８側へと至るグランド側導電路が不安定な導通状態となっても、かしめ部４７から回路基板６２側のグランドパターン６３へと至るもう一つのグランド導電路が安定的に確保できることになる。
【００５２】
これにより、コンデンサマイクロホン１１は、電磁波に対する確実なシールド効果を確保でき、ハム雑音の発生を回避させることができる。しかも、コンデンサマイクロホン１１は、ユニットケース４３と導通する振動板リング５４が、かしめ部４７と回路基板６２側のグランドパターン６３との導通接続を介して回路基板６２側と強固に導通することから、接触不良に起因する雑音の発生も回避させることができる。
【００５３】
さらに、コンデンサマイクロホン１１は、保護ケースの２２の基端部側に口金２６を介して一体的にフレキシブルパイプ７２が連結され、しかも該フレキシブルパイプ７２の頻繁な屈曲に応じて揺動する回路基板６２により、かしめ力の緩和が生じても、グランド側導電路が確保されているのでハム雑音の発生を効果的に回避させることができ、グースネック型マイクロホンとして長期にわたり好適に使用することができる。
【００５４】
以上は、本発明を図示例に基づいて説明したものであり、その具体的な構成はこれに限定されるものではない。例えば、ユニットケース４３は、導電性金属であるＣ７５２１が用いられて形成されたものを例示したが、これに限らず導電性を有し、溶剤や酸性液に耐性にすぐれ、かつ、はんだのぬれ性が良好な金属材であればユニットケース４３の素材として用いることができる。さらに、ユニットケースの形状は、図４に示す従来タイプのものであってもよい。
【図面の簡単な説明】
【００５５】
【図１】本発明の一例につきその断面構造を示す説明図。
【図２】、図１に示す例につきその要部を示す拡大図。
【図３】従来からあるコンデンサマイクロホンの全体構成例につき断面構造を含めて示す説明図。
【図４】図３のコンデンサマイクロホンの部分を拡大して内部構造例を示す説明図。
【符号の説明】
【００５６】
１１  コンデンサマイクロホン
２２  保護ケース
２３  ケース本体部
２４  キャップ部
２５  収音開口部
２６  口金
３２  マイクロホンユニット
４３  ユニットケース
４４  内底面
４５  開口面
４６  大径部
４６ａ  段差部
４７  かしめ部
５３  内蔵部材
５４  振動板リング
５４ａ  振動板
５５  固定極
５６  絶縁座
５７  ＦＥＴ（インピーダンス変換器）
５７ａ  出力端子
５８  ユニット基板
６２  回路基板
６３  グランドパターン
７２  フレキシブルパイプ
Ｓ、Ｓ１、Ｓ２  はんだ付け部位
【図１】
2008187416.tif 000003
【図２】
2008187416.tif 000004
【図３】
2008187416.tif 000005
【図４】
2008187416.tif 000006